(57)【要約】【課題】サブフィールド法に従って高輝度の動画像を表示する場合でも表示ボケの発生を抑制する。【解決手段】ディスプレイ装置１は、高輝度の動画像領域の各フィールドに占める表示面積比率が閾値以上か否かを判定する発光制御部１２，１３，１４と、入力映像信号の階調レベルを調整するレベル調整部１５，１７と、サブフィールドにそれぞれ輝度の重みを割り当てる重み割り当て部１１Ａ，１１Ｂ，１５とを有する。表示面積比率が閾値以上であるとき、レベル調整部１５，１７は、入力映像信号の階調レベルを低下させ、重み割り当て部１１Ａ，１１Ｂ，１５は、サブフィールドにそれぞれ割り当てるべき輝度の重みを、入力映像信号のレベル低下量を補償する重みだけ通常の重みから増加させる。【選択図】図１
2008096887.tif 000002
【特許請求の範囲】
【請求項１】
複数の行電極と複数の列電極との交差領域にそれぞれ形成された複数の表示セルを有する表示パネルを駆動するディスプレイ装置であって、
入力映像信号の連続する複数フィールドから高輝度の動画像領域を検出し、当該検出された動画像領域の各フィールドに占める表示面積比率が閾値以上であるか否かを判定する発光制御部と、
前記発光制御部による判定結果に基づいて前記入力映像信号の階調レベルを調整して調整映像信号を出力するレベル調整部と、
前記調整映像信号の各フィールドを複数のサブフィールドに分解する信号処理部と、
前記発光制御部による判定結果に基づいて前記サブフィールドにそれぞれ輝度の重みを割り当てる重み割り当て部と、
前記各サブフィールドのアドレス期間には、前記複数の行電極に走査信号を順次印加して前記走査信号を前記表示セルに選択的に供給する一方、前記走査信号に同期した前記サブフィールドを表すデータ信号を前記列電極を通じて前記表示セルに供給することにより前記データ信号を前記表示セルに書き込み、前記アドレス期間の後の発光維持期間には、前記表示セルのうち発光状態を表すデータ信号が書き込まれた選択セルのみを発光させるパネル駆動部と、
を備え、
前記レベル調整部は、前記表示面積比率が前記閾値以上であるときには前記入力映像信号の階調レベルを低下させて前記調整映像信号を生成し、
前記重み割り当て部は、前記表示面積比率が前記閾値未満であるときには、前記サブフィールドに対してそれぞれ通常の重みを前記輝度の重みとして割り当て、前記表示面積比率が前記閾値以上であるときには、前記サブフィールドにそれぞれ割り当てるべき輝度の重みを、前記入力映像信号の階調レベルの低下量を補償する重みだけ前記通常の重みから増加させる、
ことを特徴とするディスプレイ装置。
【請求項２】
請求項１記載のディスプレイ装置であって、前記レベル調整部は、前記表示面積比率が前記閾値未満であるときには前記入力映像信号の階調レベルを低下させずに前記調整映像信号を生成することを特徴とするディスプレイ装置。
【請求項３】
請求項１または２記載のディスプレイ装置であって、前記レベル調整部は、前記表示面積比率が前記閾値以上であるとき、前記表示面積比率が高いほどに前記入力映像信号の階調レベルの低下量を大きくすることを特徴とするディスプレイ装置。
【請求項４】
請求項１から３のうちのいずれか１項に記載のディスプレイ装置であって、前記重み割り当て部は、前記表示面積比率が前記閾値以上であるときには、前記調整映像信号の階調レベルを表すサブフィールドのうち少なくとも１つのサブフィールドに割り当てるべき輝度の重みを、前記入力映像信号の階調レベルの低下量を補償する重みだけ前記通常の重みから増加させることを特徴とするディスプレイ装置。
【請求項５】
請求項４記載のディスプレイ装置であって、前記重み割り当て部は、前記表示面積比率が前記閾値以上であるときには、前記調整映像信号の輝度を前記入力映像信号の輝度と略一致するように定めることを特徴とするディスプレイ装置。
【請求項６】
請求項１から５のうちのいずれか１項に記載のディスプレイ装置であって、
前記レベル調整部は、
前記発光制御部による判定結果に基づいてレベル制御係数を算出する係数算出部と、
前記入力映像信号の階調レベルに前記レベル制御係数を乗算して前記調整映像信号を生成する乗算器と、
を含むことを特徴とするディスプレイ装置。
【請求項７】
請求項６記載のディスプレイ装置であって、
前記重み割り当て部は、
前記発光制御部による判定結果に基づいて前記サブフィールドにそれぞれ対応する重み制御係数を算出する係数算出部と、
前記サブフィールド毎に前記通常の重みに当該通常の重みに対応する重み制御係数を乗算することによって、前記表示面積比率が前記閾値以上であるときに前記各サブフィールドに割り当てるべき輝度の重みを算出する乗算器と、
を含むことを特徴とするディスプレイ装置。
【請求項８】
請求項１から７のうちのいずれか１項に記載のディスプレイ装置であって、前記入力映像信号の少なくとも１フィールドの平均輝度レベルを検出するＡＰＬ検出部をさらに備え、前記重み割り当て部は、当該検出された平均輝度レベルに応じた値を前記通常の重みとして算出することを特徴とするディスプレイ装置。
【請求項９】
請求項８記載のディスプレイ装置であって、前記重み割り当て部は、当該検出された平均輝度レベルが高いほどに、前記各フィールドに割り当てられる輝度の重みの総数が低下するように前記通常の重みを算出することを特徴とするディスプレイ装置。
【請求項１０】
請求項１から９のうちのいずれか１項に記載のディスプレイ装置であって、
前記表示パネルは、互いに並行な第１サブ電極と第２サブ電極とからなる電極対を前記各行電極として含むプラズマディスプレイパネルであり、
前記パネル駆動部は、前記発光維持期間において、前記第１サブ電極に電圧極性の異なる２種類の維持パルスを交互に印加する一方、前記第２サブ電極には前記第１サブ電極に印加される維持パルスの電圧極性とは逆極性の維持パルスを印加して前記選択セルにガス放電を起こして発光させ、
前記重み割り当て部は、前記各サブフィールドに対して前記維持パルス数に比例する値を前記輝度の重みとして割り当てることを特徴とするディスプレイ装置。
【請求項１１】
請求項１から９のうちのいずれか１項に記載のディスプレイ装置であって、
前記各表示セルは、少なくとも１つのアクティブ素子を有する素子駆動回路と、駆動信号の供給に応じて発光する少なくとも１つの自発光素子とを含み、
前記素子駆動回路は、前記パネル駆動部からの制御信号の供給に応じて、前記サブフィールドに割り当てられた輝度の重みに対応する発光時間だけ前記駆動信号を前記発光素子に供給することを特徴とするディスプレイ装置。
【請求項１２】
請求項１１記載のディスプレイ装置であって、前記自発光素子はＯＬＥＤ（有機発光ダイオード）であることを特徴とするディスプレイ装置。
【請求項１３】
複数の行電極と複数の列電極との交差領域にそれぞれ形成された複数の表示セルを有する表示パネルの駆動方法であって、
（ａ）入力映像信号の連続する複数フィールドから高輝度の動画像領域を検出し、当該検出された動画像領域の各フィールドに占める表示面積比率が閾値以上であるか否かを判定するステップと、
（ｂ）前記ステップ（ａ）での判定結果に基づいて、前記表示面積比率が前記閾値以上であるときには前記入力映像信号の階調レベルを低下させて調整映像信号を生成するステップと、
（ｃ）前記調整映像信号の各フィールドを複数のサブフィールドに分解するステップと、
（ｄ）前記ステップ（ａ）での判定結果に基づいて、前記表示面積比率が前記閾値未満であるときには、前記サブフィールドに対してそれぞれ通常の重みを前記輝度の重みとして割り当て、前記表示面積比率が前記閾値以上であるときには、前記サブフィールドにそれぞれ割り当てるべき輝度の重みを、前記入力映像信号の階調レベルの低下量を補償する重みだけ前記通常の重みから増加させるステップと、
（ｅ）前記サブフィールド毎のアドレス期間に、前記複数の行電極に走査信号を順次印加して前記走査信号を前記表示セルに選択的に供給する一方、前記走査信号に同期した前記サブフィールドを表すデータ信号を前記列電極を通じて前記表示セルに供給することにより前記データ信号を前記表示セルに書き込むステップと、
（ｆ）前記アドレス期間の後の発光維持期間に、前記表示セルのうち発光状態を表すデータ信号が書き込まれた選択セルのみを発光させるステップと、
を備えることを特徴とする駆動方法。
【請求項１４】
請求項１３記載の駆動方法であって、前記ステップ（ｂ）は、前記表示面積比率が前記閾値未満であるとき、前記入力映像信号の階調レベルを低下させずに前記調整映像信号を生成するステップを含むことを特徴とする駆動方法。
【発明の詳細な説明】
【技術分野】
【０００１】
本発明は、プラズマディスプレイもしくはアクティブマトリクス型ディスプレイなどのディスプレイ装置の表示パネルを駆動する技術に関し、特にサブフィールド法に従って表示パネルに多階調画像を表示し得る駆動技術に関する。
【背景技術】
【０００２】
プラズマディスプレイは、各々の内部に蛍光体が塗布されマトリクス状に配列された複数個の表示セルを有している。プラズマディスプレイは、画像を表示するとき、表示セルのうち選択した表示セルにガス放電を起こして紫外線を発生させる。この紫外線は、表示セル内の蛍光体を励起して当該蛍光体に光を発生させる。単位時間当たりに表示セルで発生するガス放電の回数を制御することで多階調画像の表示が可能である。
【０００３】
一般に、プラズマディスプレイの階調制御方式としては、１枚の画像に相当する各フィールドを複数のサブフィールドに分解し、各サブフィールドに対して発光維持期間に比例する輝度の重みを割り当て、これらサブフィールドの組み合わせで多階調の画像表示を行うというサブフィールド法が採用されている。たとえば、１フィールドを構成する８枚のサブフィールドの輝度の重みを、それぞれ、２0：２1：２2：２3：２4：２5：２6：２7（＝１：２：４：８：１６：３２：６４：１２８）の比率に設定すれば、サブフィールドの組み合わせで２５６階調を実現することが可能である。サブフィールド法による階調制御技術は、たとえば、特許文献１（特開２００３−２９６９８号公報）および特許文献２（米国特許出願公開第２００３／０１１５４３号公報）に開示されている。
【０００４】
なお、サブフィールド法は、プラズマディスプレイにのみ適用される技術ではなく、有機ＥＬディスプレイなどのアクティブマトリクス型ディスプレイにも適用可能な技術である。サブフィールド法を用いる有機ＥＬディスプレイは、たとえば、特許文献３（特開２００４−７００５７号公報）および特許文献４（米国特許出願公開第２００４／０３２３８０号公報）に開示されている。
【特許文献１】特開２００３−２９６９８号公報
【特許文献２】米国特許出願公開第２００３／０１１５４３号公報（特許文献１に係る特許出願を優先権主張の基礎とする米国特許出願の公開公報）
【特許文献３】特開２００４−７００５７号公報
【特許文献４】米国特許出願公開第２００４／０３２３８０号公報（特許文献３に係る特許出願を優先権主張の基礎とする米国特許出願の公開公報）
【発明の開示】
【発明が解決しようとする課題】
【０００５】
上記サブフィールド法は、複数のサブフィールドを時間軸に沿って順次表示するものであるので、人間の眼は、これら複数のサブフィールドの発光パターンを積分して１枚の画像として視覚する。ディスプレイ装置がサブフィールド法に従って動画像を表示する場合、当該動画像の輪郭などの輝点が時間とともに移動すれば、人間の眼はその移動する輝点を積分して視覚し、これにより動画像の輪郭部分をボケた状態で視覚するという現象（表示ボケ）が生じる場合がある。特に高輝度の動画像の輝点は、１フィールドを構成するサブフィールドのうち多数のサブフィールドにおいて発光するので、各フィールドの表示期間の全体に亘って当該輝点の発光期間が分散し、表示ボケを起こしやすいという問題がある。
【０００６】
上記に鑑みて本発明の主な目的は、サブフィールド法に従って高輝度の動画像を表示する場合でも表示ボケの発生を抑制し得るディスプレイ装置およびその駆動方法を提供することである。
【課題を解決するための手段】
【０００７】
上記目的を達成すべく、請求項１記載の発明は、複数の行電極と複数の列電極との交差領域にそれぞれ形成された複数の表示セルを有する表示パネルを駆動するディスプレイ装置であって、入力映像信号の連続する複数フィールドから高輝度の動画像領域を検出し、当該検出された動画像領域の各フィールドに占める表示面積比率が閾値以上であるか否かを判定する発光制御部と、前記発光制御部による判定結果に基づいて前記入力映像信号の階調レベルを調整して調整映像信号を出力するレベル調整部と、前記調整映像信号の各フィールドを複数のサブフィールドに分解する信号処理部と、前記発光制御部による判定結果に基づいて前記サブフィールドにそれぞれ輝度の重みを割り当てる重み割り当て部と、前記各サブフィールドのアドレス期間には、前記複数の行電極に走査信号を順次印加して前記走査信号を前記表示セルに選択的に供給する一方、前記走査信号に同期した前記サブフィールドを表すデータ信号を前記列電極を通じて前記表示セルに供給することにより前記データ信号を前記表示セルに書き込み、前記アドレス期間の後の発光維持期間には、前記表示セルのうち発光状態を表すデータ信号が書き込まれた選択セルのみを発光させるパネル駆動部と、を備え、前記レベル調整部は、前記表示面積比率が前記閾値以上であるときには前記入力映像信号の階調レベルを低下させて前記調整映像信号を生成し、前記重み割り当て部は、前記表示面積比率が前記閾値未満であるときには、前記サブフィールドに対してそれぞれ通常の重みを前記輝度の重みとして割り当て、前記表示面積比率が前記閾値以上であるときには、前記サブフィールドにそれぞれ割り当てるべき輝度の重みを、前記入力映像信号の階調レベルの低下量を補償する重みだけ前記通常の重みから増加させる、ことを特徴としている。
【０００８】
請求項１３記載の発明は、複数の行電極と複数の列電極との交差領域にそれぞれ形成された複数の表示セルを有する表示パネルの駆動方法であって、（ａ）入力映像信号の連続する複数フィールドから高輝度の動画像領域を検出し、当該検出された動画像領域の各フィールドに占める表示面積比率が閾値以上であるか否かを判定するステップと、（ｂ）前記ステップ（ａ）での判定結果に基づいて、前記表示面積比率が前記閾値以上であるときには前記入力映像信号の階調レベルを低下させて調整映像信号を生成するステップと、（ｃ）前記調整映像信号の各フィールドを複数のサブフィールドに分解するステップと、（ｄ）前記ステップ（ａ）での判定結果に基づいて、前記表示面積比率が前記閾値未満であるときには、前記サブフィールドに対してそれぞれ通常の重みを前記輝度の重みとして割り当て、前記表示面積比率が前記閾値以上であるときには、前記サブフィールドにそれぞれ割り当てるべき輝度の重みを、前記入力映像信号の階調レベルの低下量を補償する重みだけ前記通常の重みから増加させるステップと、（ｅ）前記サブフィールド毎のアドレス期間に、前記複数の行電極に走査信号を順次印加して前記走査信号を前記表示セルに選択的に供給する一方、前記走査信号に同期した前記サブフィールドを表すデータ信号を前記列電極を通じて前記表示セルに供給することにより前記データ信号を前記表示セルに書き込むステップと、（ｆ）前記アドレス期間の後の発光維持期間に、前記表示セルのうち発光状態を表すデータ信号が書き込まれた選択セルのみを発光させるステップと、を備えることを特徴としている。
【発明を実施するための最良の形態】
【０００９】
以下、本発明に係る種々の実施例について説明する。
【００１０】
図１は、本発明の一実施例に係るプラズマディスプレイ装置（以下、「ディスプレイ装置」という。）１の概略構成を示す図である。ディスプレイ装置１は、プラズマディスプレイパネルである表示パネル２を有し、さらに、この表示パネル２内の表示セル（放電セル）ＣＬ，…，ＣＬを駆動する列電極駆動部２２、第１行電極駆動部２３Ａおよび第２行電極駆動部２３Ｂを有している。これら列電極駆動部２２、第１行電極駆動部２３Ａおよび第２行電極駆動部２３Ｂによって本発明に係る「パネル駆動部」が構成され得る。
【００１１】
また、ディスプレイ装置１は、表示パネル２に表示すべき映像信号を処理する信号処理部として、階調調整部１８、駆動データ生成部１９およびメモリ回路２０を有している。駆動制御部２１は、外部信号源から供給される同期信号（水平同期信号と垂直同期信号を含む。）およびクロック信号を用いて、信号処理部１８，１９，２０の動作、並びに列電極駆動部２２、第１行電極駆動部２３Ａおよび第２行電極駆動部２３Ｂの動作を個別に制御する機能を有する。さらに、ディスプレイ装置１は、デジタル信号である入力映像信号ＶＳｉの階調レベルを調整し、且つ、入力映像信号ＶＳｉの各フィールドを構成するサブフィールドにそれぞれ輝度の重みを割り当てるための処理ブロック１０，１１Ａ，１１Ｂ，１２，１３，１４，１５，１６，１７を有している。
【００１２】
なお、上記処理ブロック１０〜１７，１８〜２１の全部または一部は、ハードウェアの回路構成で実現されてもよいし、あるいは、不揮発性メモリや光ディスクなどの記録媒体に記録されたプログラム（またはプログラムコード）で実現されてもよい。そのようなプログラム（またはプログラムコード）は、ＣＰＵなどのプロセッサに上記処理ブロック１０〜１７，１８〜２１の全部または一部の処理を実行させるものである。
【００１３】
入力映像信号ＶＳｉは、たとえば、Ｒ（赤色）信号，Ｇ（緑色）信号およびＢ（青色）信号からなるＲＧＢ信号であればよい。入力映像信号ＶＳｉは、遅延メモリ１６で遅延された後に乗算器（レベル調整器）１７に入力される。乗算器１７は、遅延メモリ１６からの映像信号ＶＳｉの階調レベルに、係数算出部１５から供給されたレベル制御係数Ｃａを乗算して調整映像信号ＶＳａを出力する。レベル制御係数Ｃａの算出方法については後述する。
【００１４】
階調調整部１８は、乗算器１７から入力された調整映像信号ＶＳａに誤差拡散処理およびディザ処理を施して階調調整信号ＶＳｂを生成する。階調調整部１８は、たとえば、８ビットの調整映像信号ＶＳａの画素データの下位２ビットを周辺画素データの上位６ビットに拡散する誤差拡散処理を実行して６ビット信号を得ることができる。また階調調整部１８は、たとえば、誤差拡散処理で得られた６ビット信号にディザマトリクスの要素を加算した後にビットシフトを施すことで４ビットの階調調整信号ＶＳｂを得ることが可能である。
【００１５】
駆動データ生成部１９は、サブフィールド法の駆動シーケンスに対応する変換テーブルに従って、階調調整信号ＶＳｂを駆動データ信号ＤＳに変換する機能を有する。メモリ回路２０は、駆動データ生成部１９の出力である駆動データ信号ＤＳを一時的に記憶する。同時にメモリ回路２０は、駆動制御部２１による制御に従って、記憶データをサブフィールド単位で読み出し、当該読み出されたデータ信号ＤＳａを列電極駆動部２２に転送する。このように駆動データ生成部１９とメモリ回路２０は協働して、階調調整信号ＶＳｂの各フィールドを複数のサブフィールドに分解し、これらサブフィールドを表すデータ信号ＤＳａを生成する。
【００１６】
列電極駆動部２２は、メモリ回路２０から転送されたデータ信号ＤＳａに基づいてアドレスパルスを発生しこれらアドレスパルスを所定のタイミングで表示パネル２のアドレス電極Ｄ1〜Ｄmに印加することとなる。
【００１７】
表示パネル２は、面状に且つマトリクス状に配列されている複数の表示セルＣＬ，ＣＬ，…と、列電極駆動部２２から列方向に伸長するｍ本（ｍは２以上の整数）の列電極Ｄ1，…，Ｄmと、第１行電極駆動部２３Ａから行方向に伸長するｎ本（ｎは２以上の整数）のサブ電極Ｌ1，…，Ｌnと、第２行電極駆動部２３Ｂから行方向に伸長するｎ本のサブ電極Ｓ1，…，Ｓnと、を有する。サブ電極Ｌj（ｊは正整数）とこれに対応するサブ電極Ｓjとで１つの電極対が構成され、この電極対Ｌj，Ｓjが一本の行電極を構成する。電極対Ｌj，Ｓjと列電極Ｄk（ｋは正整数）との交差領域、言い換えれば、電極対Ｌj，Ｓjと列電極Ｄk（ｋは正整数）との交差点に対応する領域に表示セルＣＬが形成されている。電極対Ｌj，Ｓjと列電極Ｄkとは、表示パネル２の基板の厚み方向に離間しており、各表示セルＣＬ内の放電空間は、これら電極対Ｌj，Ｓjと列電極Ｄkとの間に形成されている。
【００１８】
図２は、表示セルＣＬの断面の一例を示す概略図である。図２に示す表示セルＣＬでは、透明基板（前面基板）３０Ａと背面基板３０Ｂとが厚み方向に対向配置されている。透明基板（前面基板）３０Ａの内面には、行電極を構成するサブ電極対Ｌj，Ｓjが形成されている。一方のサブ電極Ｌjは、第１透明電極Ｌａと第１バス電極Ｌｂとからなり、他方のサブ電極Ｓjは、第２透明電極Ｓａと第２バス電極Ｓｂとからなる。第１および第２透明電極Ｓａ，Ｌａは、ＩＴＯ（インジウム錫酸化物）やＳｎＯ2などの透明電極材料からなり、バス電極Ｌｂ，Ｓｂは、Ｃｒ（クロム）やＣｕ（銅）などの比較的低い電気抵抗を持つ導電材料からなる。これらサブ電極対Ｌj，Ｓjを被覆するように誘電体層３１と酸化マグネシウム層３２とがこの順番で形成されている。酸化マグネシウム層３２は酸化マグネシウムの結晶体を主成分として含み、この酸化マグネシウムの結晶体は、電子線照射により励起しておよそ波長２００〜３００ｎｍ（ナノメートル）の範囲内にピークを持つカソードルミネッセンス材料である。この酸化マグネシウムの結晶体は、金属マグネシウム蒸気と酸素との気相酸化反応で発生する結晶核を成長させるプロセスにより形成することができる。
【００１９】
一方、背面基板３０Ｂの内面には、列電極Ｄkと、この列電極Ｄkを被覆する白色誘電体からなる保護層３６とが形成されている。保護層３６上には、放電空間ＤＳを形成する隔壁３３Ａ，３３Ｂが設けられている。放電空間ＤＳにはキセノンなどの放電ガスが封入されている。この放電ガスは、電極対Ｌj，Ｓjのうちの一方の電極と列電極Ｄkとの間の電位差、あるいは電極対Ｌj，Ｓj間の電位差が放電空間ＤＳ内に形成する電界によりガス放電を起こし、紫外線を発生させる。また、放電空間ＤＳを形成する内壁には、紫外線照射により励起して、赤色、緑色または青色のうちのいずれかの発光色で発光する蛍光体層３４が塗布されている。
【００２０】
なお、１個の画素セルは複数個の表示セルＣＬ，…，ＣＬで構成される。たとえば、赤色発光の表示セルＣＬ，緑色発光の表示セルＣＬおよび青色発光の表示セルＣＬで１個の画素セルを構成すればよい。
【００２１】
次に、ディスプレイ装置１により実行される駆動シーケンスの例を以下に説明する。図３は駆動シーケンスの一例を説明するための図である。図３の例では、映像信号の１フィールドは、表示順に連続的に配列されたＮ個（Ｎは２以上の整数）のサブフィールドＳＦ1，ＳＦ2，…，ＳＦNに分解されている。先頭のサブフィールドＳＦ1の表示期間は、リセット期間Ｔｒ、アドレス期間Ｔｗおよび発光維持期間Ｔ1で構成される。リセット期間Ｔｒでは、駆動制御部２１は、図１の表示パネル２の全ての表示セルＣＬ，…，ＣＬに一斉にリセット放電を起こすことで全ての表示セルＣＬ，…，ＣＬに壁電荷に蓄積させる。たとえば、第１行電極駆動部２３Ａが電極対Ｌj，Ｓjのうちの一方のサブ電極ＬjまたはＳjに負極性の電圧パルスを印加し、これと同時に、列電極駆動部２２が列電極Ｄkに漸次レベル上昇する正極性の電圧パルスを印加することにより、放電空間ＤＳ（図２）にガス放電（リセット放電）を起こして壁電荷を生成する。
【００２２】
続くアドレス期間Ｔｗでは、水平ライン毎に（すなわち行毎に）線順次で表示セルＣＬ，…，ＣＬが選択され、当該選択された表示セルにサブフィールドＳＦ1を表すデータ信号が書き込まれる。たとえば、第１行電極駆動部２３Ａがサブ電極Ｌ1，Ｌ2，…，Ｌnに順次走査パルスを印加し、行電極駆動部２２が各走査パルスに同期したデータパルス群を列電極Ｄ1，Ｄ2，…，Ｄmに印加することにより、表示セルＣＬ，…，ＣＬに選択的にガス放電（選択消去放電）を起こす。この結果、選択消去放電が発生した表示セルＣＬでは壁電荷が消滅し、選択消去放電が発生しなかった表示セルＣＬでは壁電荷が残る。
【００２３】
続く発光維持期間Ｔ1では、駆動制御部２１は、発光状態を表すデータ信号が書き込まれた表示セルすなわち壁電荷を有する表示セル（選択セル）を、サブフィールドＳＦ1に割り当てられた輝度の重みに比例する時間だけ発光させる。具体的には、第１行電極駆動部２３Ａが電極対Ｌj，Ｓjのうちの一方のサブ電極Ｌjに電圧極性の異なる２種類の維持パルスを交互に印加し、これと同時並行に、第２行電極駆動部２３Ｂが他方のサブ電極Ｓjに対して、サブ電極Ｌjに印加される維持パルスの電圧極性とは逆極性の電圧パルスを印加すればよい。この結果、壁電荷を有する選択セルでのみガス放電（維持放電）が発生し、これにより選択セルは発光する。なお、表示セルＣＬの発光時間は、電極対Ｌj，Ｓjに印加される維持パルスの個数に略比例する。
【００２４】
次のサブフィールドＳＦ2の表示期間は、アドレス期間Ｔｗおよび発光維持期間Ｔ2で構成される。アドレス期間Ｔｗでは、水平ライン毎に線順次で表示セルＣＬ，…，ＣＬが選択され、当該選択された表示セルにサブフィールドＳＦ2を表すデータ信号が書き込まれる。具体的には、第１行電極駆動部２３Ａがサブ電極Ｌ1，Ｌ2，…，Ｌnに順次走査パルスを印加し、列電極駆動部２２が各走査パルスに同期したデータパルス群を列電極Ｄ1，Ｄ2，…，Ｄmに印加することにより、表示セルＣＬ，…，ＣＬに選択的に選択消去放電を起こすことができる。この結果、選択消去放電が発生した表示セルＣＬでは壁電荷が消滅し、選択消去放電が発生しなかった表示セルＣＬでは壁電荷が残る。続く発光維持期間Ｔ2では、サブフィールドＳＦ1の発光維持期間Ｔ1と同様に、第１行電極駆動部２３Ａと第２行電極駆動部２３Ｂが電極対Ｌj，Ｓjに維持パルスを繰り返し印加することにより、壁電荷を有する選択セルのみが発光することとなる。
【００２５】
他のサブフィールドＳＦ3〜ＳＦNも、サブフィールドＳＦ2と同様の手順で表示パネル２に表示されるが、最後のサブフィールドＳＦNの表示期間は、アドレス期間Ｔｗと発光維持期間ＴNの他に消去期間Ｔｅを有する。この消去期間Ｔｅでは、全ての表示セルＣＬ，…，ＣＬから壁電荷が消去される。
【００２６】
図３の駆動シーケンスにより、各表示セルＣＬについて図４に示す発光パターンを実現することができる。図４は、１フィールドを１５個のサブフィールドＳＦ1〜ＳＦ15で構成する場合に映像信号の階調レベルとこれに対応する発光パターンとの関係を示すものである。図中、記号「○」は当該サブフィールドで維持放電が起きることを意味し、記号「●」は当該サブフィールドで選択消去放電が起きることを意味する。たとえば、階調レベル「０」に対応する発光パターンでは、先頭のサブフィールドＳＦ1のアドレス期間で選択消去放電が起こるので壁電荷は消滅し、その後のサブフィールドＳＦ1〜ＳＦ15の発光維持期間では一度も維持放電が発生しない。また、階調レベル「５」に対応する発光パターンでは、連続する５個のサブフィールドＳＦ1〜ＳＦ5の発光維持期間で維持放電が発生し、サブフィールドＳＦ6のアドレス期間では最初で最後の選択消去放電が起こるので壁電荷は消滅し、その後のサブフィールドＳＦ6〜ＳＦ15の発光維持期間では一度も維持放電が発生しない。このように図３の駆動シーケンスでは、先頭のサブフィールドＳＦ1で全ての表示セルＣＬ，…，ＣＬに壁電荷が形成された後は、続くサブフィールドＳＦ2〜ＳＦNのアドレス期間では選択消去放電のみが実行されるので、維持放電は、階調レベルに関わりなく常に各フィールドの先頭のサブフィールドＳＦ1から連続的に発生する。したがって、いわゆる動画像疑似輪郭による画質劣化が原理的に発生しないという利点がある。
【００２７】
本発明に係る駆動シーケンスは、図３に示した駆動シーケンスに限定されるものではない。他の例として図５に示される駆動シーケンスを採用してもよい。図５の例では、映像信号の１フィールドは、表示順に連続的に配列されたＮ個（Ｎは２以上の整数）のサブフィールドＳＦ1，ＳＦ2，…，ＳＦNに分解されている。サブフィールドＳＦp（ｐは１〜Ｎのいずれか）の表示期間は、リセット期間Ｔｒ、アドレス期間Ｔｗおよび発光維持期間Ｔpで構成される。リセット期間Ｔｒでは、駆動制御部２１は、図１の表示パネル２の全ての表示セルＣＬ，…，ＣＬに一斉にガス放電（リセット放電）を起こして、全ての表示セルＣＬ，…，ＣＬから壁電荷を消去させる。
【００２８】
続くアドレス期間Ｔｗでは、水平ライン毎に線順次で表示セルＣＬ，…，ＣＬが選択され、当該選択された表示セルＣＬにサブフィールドＳＦpを表すデータ信号が書き込まれる。具体的には、第１行電極駆動部２３Ａがサブ電極Ｌ1，Ｌ2，…，Ｌnに順次走査パルスを印加し、第２行電極駆動部２３Ｂが各走査パルスに同期したデータパルス群を列電極Ｄ1，Ｄ2，…，Ｄmに印加することにより、表示セルＣＬ，…，ＣＬに選択的にガス放電（選択書込放電）を起こす。この結果、選択書込放電が発生した表示セルＣＬでは壁電荷が蓄積される。
【００２９】
続く発光維持期間Ｔpでは、第１行電極駆動部２３Ａと第２行電極駆動部２３Ｂが電極対Ｌj，Ｓjに維持パルスを繰り返し印加することにより、壁電荷を有する選択セルのみが発光することとなる。
【００３０】
図５の駆動シーケンスにより、各表示セルＣＬについて図６に示す発光パターンを実現することができる。図６は、１フィールドを８個のサブフィールドＳＦ1〜ＳＦ8で構成する場合に映像信号の階調レベルとこれに対応する発光パターンとの関係を示すものである。図中、記号「○」は当該サブフィールドで選択書込放電と維持放電とが起きることを意味する。
【００３１】
次に、図１に戻ると、ディスプレイ装置１は、入力映像信号ＶＳｉの階調レベルを調整し且つサブフィールドにそれぞれ輝度の重み付けをする構成として、ＡＰＬ検出部１０、重み算出部１１Ａ、乗算器（重み調整器）１１Ｂ、高輝度領域検出部１２、動き検出部１３、判定部１４、係数算出部１５、遅延メモリ１６および乗算器（レベル調整器）１７を有している。なお、本発明に係る「発光制御部」は、たとえば処理ブロック１２〜１４で構成でき、本発明に係る「レベル調整部」は、たとえば処理ブロック１５〜１７で構成でき、本発明に係る「重み割り当て部」は、たとえば処理ブロック１１Ａ，１１Ｂ，１５で構成できる。
【００３２】
ＡＰＬ検出部１０は、入力映像信号ＶＳｉの少なくとも１フィールドすなわち少なくとも１ピクチャの平均輝度レベルを検出し、当該検出された平均輝度レベル（ＡＰＬ：Average Peak Level）を重み算出部１１Ａに供給する。重み算出部１１Ａは、平均輝度レベルと輝度の重みとの対応関係を示すルックアップテーブル（特性テーブル）を用いて各サブフィールドに割り当てるべき輝度の重み（通常の重み）を決定し、当該検出された平均輝度レベルに応じた輝度の重みを各サブフィールドに割り当てる。ここで、「輝度の重み」とは、各サブフィールドの発光維持期間に各行電極Ｌj，Ｓjに印加されるべき維持パルスの個数あるいは当該個数に対応する値を意味する。
【００３３】
図７は、１フィールド全体に割り当てるべき維持パルスの総数とＡＰＬ（平均輝度レベル）との関係（ＡＢＬ特性）を例示するグラフである。図７のグラフの横軸はＡＰＬに対応し、グラフの左側の縦軸は維持パルスの総数に対応している。曲線Ｐｔは、ＡＰＬと維持パルスの総数との関係を示すＡＢＬ特性曲線である。ここで、グラフのＡＰＬ値は、表示パネル２の全ての表示セルＣＬ，…，ＣＬが最大階調レベルで発光したとき、言い換えれば、表示パネル２の画面全体が最大ピーク輝度の光を放出したときに「１００」の値をとるように正規化されている。また、図７のグラフの右側の縦軸はディスプレイ装置１の消費電力に対応し、図７は、ディスプレイ装置１の消費電力とＡＰＬとの対応関係をも示す。曲線Ｃｔは、消費電力とＡＰＬとの関係を示す電力特性曲線である。電力特性曲線Ｃｔは、ＡＰＬ値が「０」から「Ｓ0」までの初期領域では単調に増加しており、ＡＰＬ値が「Ｓ0」から「１００」までの領域では略一定の目標消費電力に固定される。このような電力特性曲線Ｃｔが実現されるように、ＡＢＬ特性曲線Ｐｔは、ＡＰＬ値が「０」から「Ｓ0」までの領域では略一定値をとり、ＡＰＬ値が「Ｓ0」から「１００」までの領域では単調に減少する。
【００３４】
一方、図１の高輝度領域検出部１２は、入力映像信号ＶＳｉの各フィールドの高輝度領域を検出し、その検出結果を判定部１４に供給する。高輝度領域検出部１２は、たとえば、入力映像信号ＶＳｉの輝度を表すレベル（たとえば、階調レベル）を画素単位で閾値レベルと比較し、当該レベルが閾値レベルを超えている画素領域を高輝度領域として検出することができる。
【００３５】
他方、動き検出部１３は、入力映像信号ＶＳｉの連続する複数フィールドにおける動画像の動き（たとえば、移動体画像の動き）をリアルタイムに検出し、その検出結果を判定部１４に与える。動き検出部１３は、たとえば、公知のブロックマッチング法または公知の勾配法により、動画像の座標、移動方向および移動距離を検出結果として算出することができる。ブロックマッチング法を使用する場合、動き検出部１３は、各フィールドを複数のブロック画像に分割し、時間的に連続する２つのフィールドを互いにブロック画像単位で比較する。そして、動き検出部１３は、当該２つのフィールド間で最も類似度が高く且つ所定距離以上を移動したブロック画像を移動体画像として検出し、その移動体画像の座標、移動方向および移動距離を算出すればよい。
【００３６】
そして、判定部１４は、高輝度領域検出部１２と動き検出部１３とからそれぞれ供給された判定結果に基づいて高輝度の動画像領域を検出し、当該検出された動画像領域の各フィールドに占める表示面積比率が閾値以上であるか否かを判定する。その判定結果（表示面積比率の値を含む。）は係数算出部１５に供給される。たとえば、高輝度領域検出部１２で得られた高輝度領域と、動き検出部１３で得られた移動体画像の検出領域との重複領域を高輝度の動画像領域とすることができる。
【００３７】
係数算出部１５は、判定部１４による判定結果に基づいて、表示面積比率が予め定めた閾値ＴＨ１未満であるときには、値「１」のレベル制御係数Ｃａと値「１」の重み制御係数Ｃｂとをそれぞれ乗算器１７，１１Ｂに供給する。このとき、乗算器１７は、遅延メモリ１６から読み出された遅延映像信号を、当該遅延映像信号の階調レベルを変化させずに、調整映像信号ＶＳａとして階調調整部１８に与える。また、乗算器１１Ｂは、重み算出部１１Ａから供給された輝度の重み（通常の重み）を変化させずにそのまま駆動制御部２１に供給することとなる。
【００３８】
一方、表示面積比率が閾値ＴＨ１以上であるとき、係数算出部１５は、遅延映像信号の階調レベルを低下させる値を持つレベル制御係数Ｃａを生成しこれを乗算器１７に供給する。図８は、表示面積比率が閾値ＴＨ１以上である場合の表示面積比率とレベル制御係数Ｃａとの関係を示すグラフである。このグラフは、表示面積比率が閾値ＴＨ１以上閾値ＴＨ２未満の領域においては、表示面積比率が高いほどに低くなるレベル制御係数Ｃａを与える。言い換えれば、このグラフは、高輝度の動画像領域の表示面積比率が高いほどに遅延映像信号の階調レベルの低下量を大きくするものである。表示面積比率が閾値ＴＨ２以上であるときは、たとえば０．５程度の略一定値αiのレベル制御係数Ｃａが供給される。
【００３９】
また、表示面積比率が閾値ＴＨ１以上であるとき、係数算出部１５は、遅延映像信号の階調レベルの低下量を補償する重み制御係数Ｃｂ（ｉ）（ｉはサブフィールド番号を示す。）を生成しこれを乗算器１１Ｂに与える。
【００４０】
遅延映像信号の階調レベルｇの輝度をＬｎ（ｇ）で表し、重み算出部１１Ａで算出された輝度の重み（以下「通常の重み」という。）をＷｎ（ｉ）（ｉはサブフィールド番号を示す。）で表すものとする。また、Ｂｎ（ｇ；ｉ）は、ｉ番目サブフィールドＳＦiで或る画素が発光状態のときには値「１」をとり、非発光状態のときには値「０」をとるものとする。このとき、階調レベルｇの輝度Ｌｎ（ｇ）は次式で与えられる。
【００４１】
【数１】
2008096887.tif 000003
【００４２】
ここで、Ｎは、１フィールドを構成するサブフィールドの総数を表す。
【００４３】
さらに、表示面積比率が閾値ＴＨ１以上である場合の調整映像信号ＶＳａの階調レベルをｇ’で表すものとする。かかる場合、図１の乗算器１１Ｂは、サブフィールドＳＦiに対応する通常の重みＷｎ（ｉ）に重み制御係数Ｃｂ（ｉ）を乗算して遅延映像信号の階調レベル低下量を補償することになる。よって、サブフィールドＳＦiに割り当てるべき輝度の重みＷａ（ｉ）は、Ｗｎ（ｉ）×Ｃｂ（ｉ）である。この輝度の重みＷａ（ｉ）は、遅延映像信号の階調レベル低下量を補償するために通常の重みＷｎ（ｉ）から増加したものとなる。
【００４４】
このとき、調整映像信号ＶＳａの輝度Ｌａ（ｇ’）は、次式（２）で与えられる。
【００４５】
【数２】
2008096887.tif 000004
【００４６】
ここで、図１の乗算器１７は遅延映像信号の階調レベルｇにレベル制御係数Ｃａを乗算するので、ｇ’＝ｇ×Ｃａ、である。
【００４７】
上式（２）から分かるように、画素が非発光状態になるサブフィールドに割り当てる輝度の重みを増加させても、その重みの増加は、調整映像信号ＶＳａの輝度Ｌａ（ｇ’）に何ら寄与せず、遅延映像信号ＶＳａの階調レベル低下量を補償しない。これを避けるべく、調整映像信号ＶＳａの階調レベルｇ’を表すサブフィールドのうち少なくとも１つのサブフィールドに割り当てるべき輝度の重みを増加させるのが好ましい。たとえば、階調レベルｇ’を表すサブフィールド群がＳＦ1，ＳＦ2，ＳＦ3のみからなる場合、これらサブフィールドＳＦ1，ＳＦ2，ＳＦ3のうち少なくとも１つのサブフィールドＳＦkに対応する通常の重みＷｎ（ｋ）を増加させるのが好ましい。
【００４８】
また、前記遅延映像信号の階調レベル低下量を完全に補償するために、係数算出部１５は、調整映像信号ＶＳａの輝度Ｌａ（ｇ’）が遅延映像信号の輝度Ｌｎ（ｇ）と略一致するように制御係数Ｃａ，Ｃｂ（ｉ）を定めることが望ましい。これにより、不自然な輝度変化による画質劣化の回避が可能になる。
【００４９】
本実施例のディスプレイ装置１は、サブフィールド法に従って高輝度の動画像を表示する場合でも表示ボケの発生を抑制し得、高品質の映像を提供することができる。以下、図９〜図１１を参照しつつディスプレイ装置１の動作例を説明する。
【００５０】
図９は、従来の駆動法に従って動画像を表示する場合の発光パターンの時間変化を概略的に示す図である。図９では、連続配置された画素Ｐ1，Ｐ2，Ｐ3，Ｐ4，Ｐ5の発光パターンの時間変化が示されている。最初のフィールドＦ1の表示期間では、全サブフィールドＳＦ1〜ＳＦ7の発光維持期間で画素Ｐ2が発光する一方、他の画素Ｐ1，Ｐ3〜Ｐ5は消灯しており、次のフィールドＦ2の表示期間では、全サブフィールドＳＦ1〜ＳＦ7の発光維持期間で画素Ｐ3が発光する一方、他の画素Ｐ1，Ｐ2，Ｐ4，Ｐ5は消灯しており、続くフィールドＦ3の表示期間では、全サブフィールドＳＦ1〜ＳＦ7の発光維持期間で画素Ｐ4が発光する一方、他の画素Ｐ1〜Ｐ3，Ｐ5は消灯する。要するに、最大階調レベルで発光する輝点が、時間の経過とともに画素Ｐ2，Ｐ3，Ｐ4の順に移動する様子が示されている。
【００５１】
図９の発光パターンでは、フィールドＦ1，Ｆ2，Ｆ3各々の表示期間の全体に亘って輝点の発光期間が分散しているため、人間の眼には輝点がボケて視覚される現象（表示ボケ）が発生する恐れがある。
【００５２】
これに対し、本実施例のディスプレイ装置１は、高輝度の動画像領域の表示面積比率が閾値以上になった場合に限り、図１０（Ａ）の最大階調レベルを示す発光パターンの入力映像信号ＶＳｉを、図１０（Ｂ）の発光パターンの調整映像信号ＶＳａに変換することができる。具体的には、図１の係数算出部１５が、遅延された入力映像信号ＶＳｉの階調レベルｇを低下させるレベル制御係数Ｃａを乗算器１７に供給する。この結果、乗算器１７は、図１０（Ｂ）に示されるように上位のサブフィールドＳＦ5〜ＳＦ7で画素が非発光状態になる階調レベルｇ’を持つ調整映像信号ＶＳａを生成する。
【００５３】
同時に、係数算出部１５は、階調レベルｇの低下量（＝ｇ−ｇ’）を補償する重み制御係数Ｃｂ（ｉ）を乗算器１１Ｂに供給する。このため、係数算出部１５と乗算器１１Ｂは、画素が非発光状態に設定された上位サブフィールドＳＦ5〜ＳＦ7の通常の重みＷｎ（５），Ｗｎ（６），Ｗｎ（７）を、下位サブフィールドＳＦ1〜ＳＦ4に振り分ける処理を実行することとなる。たとえば、以下の関係１を満たすように重み制御係数Ｃｂ（１）〜Ｃｂ（７）を定めることが可能である。
【００５４】
【数３】
2008096887.tif 000005
【００５５】
あるいは、以下の関係２を満たすように重み制御係数Ｃｂ（１）〜Ｃｂ（７）を定めてもよい。
【００５６】
【数４】
2008096887.tif 000006
【００５７】
あるいは、以下の関係３を満たすように重み制御係数Ｃｂ（１）〜Ｃｂ（７）を定めてもよい。
【００５８】
【数５】
2008096887.tif 000007
【００５９】
上記関係１，２，３のいずれでも、調整映像信号ＶＳａの輝度Ｌａ（ｇ’）は、遅延された入力映像信号ＶＳｉの輝度Ｌｎ（ｇ）と一致することが分かる。
【００６０】
上記の通り、本実施例の駆動法は、高輝度の動画像領域の表示面積比率が閾値以上になった場合に限り、図１０（Ｂ）に例示されるように、各フィールドにおける発光期間の分布が下位のサブフィールドに移動するので、各フィールドにおける発光期間の分散が抑制される。また、本実施例の駆動法は、表示面積比率が閾値未満であるときには表示ボケが発生するが、低輝度領域や中輝度領域では、人間の視覚特性上、かかる表示ボケは目立たないという事実を利用している。したがって、表示ボケの発生を抑制することが可能である。
【００６１】
なお、本実施例の駆動法では、高輝度の動画像領域の表示面積比率が閾値以上になった場合に、発光に使用されるサブフィールド数が少なくなるので、表現可能な階調数が削減されるが、人間の視覚特性上、高輝度領域では階調数の少なさが画質に与える影響は小さい。
【００６２】
上記実施例の駆動法は、プラズマディスプレイ装置だけでなく、アクティブマトリクス駆動方式を採用するディスプレイ装置にも適用可能である。図に明示しないが、このディスプレイ装置は、複数の行電極Ｌ1，…，Ｌnと複数の列電極Ｄ1，…，Ｄmとの交差領域にそれぞれ形成された複数の表示セルＣＬ，…，ＣＬを含む表示パネルを有している。また、このディスプレイ装置は、これら表示セルＣＬ，…，ＣＬをサブフィールド法に従って駆動する周辺駆動回路（パネル駆動部）と駆動制御部とを有する。さらに、このディスプレイ装置は、上記プラズマディスプレイ装置１において入力映像信号ＶＳｉの階調レベルを調整し且つサブフィールドにそれぞれ輝度の重み付けをする処理ブロック１０〜１７（図１）と略同様の処理を実行する構成を有する。
【００６３】
このようなアクティブマトリクス駆動方式を採用するディスプレイ装置では、各表示セルＣＬは、少なくとも１つのアクティブ素子を有する素子駆動回路と、少なくとも１つのＯＬＥＤなどの発光素子とを含む。素子駆動回路は、周辺駆動回路からの制御信号の供給に応じて、各サブフィールドに割り当てられた輝度の重みに対応する発光期間だけ発光素子に駆動信号を供給し発光させる。
【００６４】
図１１は、素子駆動回路の典型例を示す等価回路図である。図１１に示す表示セルＣＬは、アクティブ素子であるｐチャネル選択ＴＦＴ４０およびｐチャネル駆動ＴＦＴ４２を有している。またこの表示セルＣＬは、駆動ＴＦＴ４２のゲートとソース間に接続されたキャパシタ４１と、駆動ＴＦＴ４２のドレインに接続されたＯＬＥＤ４３とを有する。ＯＬＥＤ４３のアノードには駆動ＴＦＴ４２のドレインが接続され、ＯＬＥＤ４３のカソードには基準電位が印加されている。選択ＴＦＴ４０のソースには行電極Ｌjが接続され、選択ＴＦＴ４０のゲートには列電極Ｄkが接続されている。駆動ＴＦＴ４２のソースには電源電圧ＶDDが供給されている。
【００６５】
各サブフィールドのアドレス期間には、周辺駆動回路は、負の電圧極性の走査パルスをそれぞれ行電極Ｌ1，…，Ｌnに順次供給し、各走査パルスに同期したデータ信号を列電極Ｄ1，…，Ｄmに供給する。これにより、表示セルＣＬ，…，ＣＬは線順次に選択されて当該選択された表示セルＣＬに走査パルスが供給される。この結果、図１１の選択ＴＦＴ４０のゲートに走査パルスが印加されるので、選択ＴＦＴ４０がオンになり選択ＴＦＴ４０のソースとドレイン間が導通する。このとき、サブフィールドを表すデータ信号が列電極Ｄkを通じてキャパシタ４１に供給されるので、このデータ信号の電圧がキャパシタ４１に蓄積される。したがって、表示セルＣＬには発光状態または非発光状態のいずれか一方を表すデータ信号が書き込まれることとなる。
【００６６】
各サブフィールドの発光維持期間には、表示セルＣＬ，…，ＣＬのうち発光状態を表すデータ信号が書き込まれた選択セルＣＬにおいて、駆動ＴＦＴ４２は、自己のゲートとソース間に印加される電圧に応じたドレイン電流を駆動信号としてＯＬＥＤ４３に供給し、これによりＯＬＥＤ４３には順バイアスが印加される。したがって、選択セルＣＬにおいてのみ、ＯＬＥＤ４３は発光する。発光維持期間が終了すると、続けて次のサブフィールドのアドレス期間が開始される。
【００６７】
各サブフィールドの表示期間は、上記アドレス期間とこれに続く発光維持期間とからなる。各サブフィールドの発光維持期間は、当該サブフィールドに割り当てられた輝度の重みに比例する時間に設定することが可能である。
【図面の簡単な説明】
【００６８】
【図１】本発明の一実施例に係るプラズマディスプレイ装置の概略構成を示す図である。
【図２】表示セルの断面の一例を示す概略図である。
【図３】プラズマディスプレイ装置で実行される駆動シーケンスの一例を説明するための図である。
【図４】図３の駆動シーケンスにより実現される発光パターンを例示する図である。
【図５】プラズマディスプレイ装置で実行される駆動シーケンスの他の例を説明するための図である。
【図６】図５の駆動シーケンスによる実現される発光パターンを例示する図である。
【図７】維持パルスの総数とＡＰＬとの関係を例示するグラフである。
【図８】表示面積比率とレベル制御係数との関係を示すグラフである。
【図９】従来の駆動法に従って動画像を表示する場合の発光パターンの時間変化を概略的に示す図である。
【図１０】（Ａ），（Ｂ）は、本実施例の駆動方法を説明するための図である。
【図１１】アクティブマトリクス駆動方式を採用したディスプレイ装置で使用され得る表示セルの構成を例示する図である。
【符号の説明】
【００６９】
１  プラズマディスプレイ装置
２  表示パネル（プラズマディスプレイパネル）
１０  ＡＰＬ検出部
１１Ａ  重み算出部
１１Ｂ  乗算器（重み調整器）
１２  高輝度領域検出部
１３  動き検出部
１４  判定部
１５  係数算出部
１７  乗算器（レベル調整器）
２２  列電極駆動部
２３Ａ  第１行電極駆動部
２３Ｂ  第２行電極駆動部
【図１】
2008096887.tif 000008
【図２】
2008096887.tif 000009
【図３】
2008096887.tif 000010
【図４】
2008096887.tif 000011
【図５】
2008096887.tif 000012
【図６】
2008096887.tif 000013
【図７】
2008096887.tif 000014
【図８】
2008096887.tif 000015
【図９】
2008096887.tif 000016
【図１０】
2008096887.tif 000017
【図１１】
2008096887.tif 000018